(57)【特許請求の範囲】
【請求項１】
光ファイバ回線を介して他のメディアコンバータと相互に接続されるメディアコンバータ（１０）であって、
前記光ファイバ回線から入力される光信号の受光レベルを検出する光レベル検出手段と、
前記検出された受光レベルと受光レベル良否判定用の受光レベル下限値とを比較して、前記検出された受光レベルが受光レベル良否判定用の受光レベル下限値以上であれば受光レベル用ランプ（２２）を点灯させ、前記検出された受光レベルが前記受光レベル良否判定用の受光レベル下限値未満であれば前記受光レベル用ランプを消灯させる受光レベル良否判定手段（１８）と、
前記光ファイバ回線側の光リンクの良否を判定して、該判定の結果に従って光リンク用ランプ（２１）を点灯または消灯させる制御手段（１９）とを具備し、
前記受光レベル用ランプおよび前記光リンク用ランプが点灯しているか否かにより前記光ファイバ回線、前記他のメディアコンバータおよび前記メディアコンバータのいずれにおいて障害が発生したかを判定できるように、前記受光レベル良否判定用の受光レベル下限値が、前記メディアコンバータにおける受光レベルの上限値から該メディアコンバータにおける光リンクの下限値である受光レベルの下限値を引いた該メディアコンバータの受光範囲の所定の割合の値だけ、該メディアコンバータにおける該受光レベルの下限値よりも大きい値に設定されている、
ことを特徴とする、メディアコンバータ。
【請求項２】
前記光レベル検出手段が、前記光ファイバ回線から入力される光信号を電気信号に変換する光／電気変換部（１５）の出力信号に基づいて前記受光レベルを検出することを特徴とする、請求項１記載のメディアコンバータ。
【請求項３】
前記光レベル検出手段が、前記光ファイバ回線から入力される光を２分岐する２分岐カプラ（６１）と、該２分岐カプラにより分岐された光の一方が入力される光センサ（６２）とを備え、該光センサの出力信号に基づいて前記受光レベルを検出することを特徴とする、請求項１記載のメディアコンバータ。
【請求項４】
光ファイバ回線、該光ファイバ回線を介して相互に接続された局舎側メディアコンバータ（３１）および宅内側メディアコンバータ（３２）のいずれにおいて障害が発生したかを切り分ける障害切分け方法であって、
請求項１乃至３いずれかに記載のメディアコンバータを前記宅内側メディアコンバータとして使用し、
前記局舎側メディアコンバータの光リンク用ランプ（４１）と前記宅内側メディアコンバータの光リンク用ランプ（２１）および受光レベル用ランプ（２２）とが点灯しているか否かにより前記光ファイバ回線、前記局舎側メディアコンバータおよび前記宅内側メディアコンバータのいずれにおいて障害が発生したかを判定する、
ことを特徴とする、障害切分け方法。
【請求項５】
前記局舎側メディアコンバータの光リンク用ランプと前記宅内側メディアコンバータの光リンク用ランプおよび受光レベル用ランプとがすべて点灯している場合には、前記光ファイバ回線、前記局舎側メディアコンバータおよび前記宅内側メディアコンバータは正常に動作していると判定し、
前記局舎側メディアコンバータおよび前記宅内側メディアコンバータの光リンク用ランプは点灯しているが、前記宅内側メディアコンバータの受光レベル用ランプが消灯している場合には、前記光ファイバ回線または前記局舎側メディアコンバータにおいて障害が発生したと判定し、
前記宅内側メディアコンバータの受光レベル用ランプは点灯しているが、前記局舎側メディアコンバータおよび前記宅内側メディアコンバータの光リンク用ランプが消灯している場合には、前記宅内側メディアコンバータにおいて障害が発生したと判定し、
前記局舎側メディアコンバータの光リンク用ランプと前記宅内側メディアコンバータの光リンク用ランプおよび受光レベル用ランプがすべて消灯している場合には、前記光ファイバ回線、前記局舎側メディアコンバータまたは前記宅内側メディアコンバータにおいて障害が発生したと判定する、
ことを特徴とする、請求項４記載の障害切分け方法。
【請求項６】
前記局舎側メディアコンバータおよび前記宅内側メディアコンバータの一方の光リンク用ランプは点灯しているが他方の光リンク用ランプは消灯している場合には、前記局舎側メディアコンバータおよび前記宅内側メディアコンバータのうち光リンク用ランプが点灯している方のメディアコンバータにおいて障害が発生したとして取り扱うことを特徴とする、請求項４または５記載の障害切分け方法。
【請求項７】
光ファイバ回線、該光ファイバ回線を介して相互に接続された局舎側メディアコンバータ（５１）および宅内側メディアコンバータ（５２）のいずれにおいて障害が発生したかを切り分ける障害切分け方法であって、
請求項１乃至３いずれかに記載のメディアコンバータを前記局舎側メディアコンバータおよび前記宅内側メディアコンバータとして使用し、
前記局舎側メディアコンバータの光リンク用ランプ（２１）および受光レベル用ランプ（２２）が点灯しているか否かと、前記宅内側メディアコンバータの光リンク用ランプ（２１）および受光レベル用ランプ（２２）が点灯しているか否かとにより、前記光ファイバ回線、前記局舎側メディアコンバータおよび前記宅内側メディアコンバータのいずれにおいて障害が発生したかを判定する、
ことを特徴とする、障害切分け方法。
【請求項８】
前記局舎側メディアコンバータおよび前記宅内側メディアコンバータの光リンク用ランプおよび受光レベル用ランプがすべて点灯している場合には、前記光ファイバ回線、前記局舎側メディアコンバータおよび前記宅内側メディアコンバータは正常に動作していると判定し、
前記局舎側メディアコンバータの光リンク用ランプおよび受光レベル用ランプと前記宅内側メディアコンバータの光リンク用ランプとは点灯しているが、前記宅内側メディアコンバータの受光レベル用ランプが消灯している場合には、前記局舎側メディアコンバータにおいて障害が発生したと判定し、
前記局舎側メディアコンバータの光リンク用ランプと前記宅内側メディアコンバータの光リンク用ランプおよび受光レベル用ランプとは点灯しているが、前記局舎側メディアコンバータの受光レベル用ランプが消灯している場合には、前記宅内側メディアコンバータにおいて障害が発生したと判定し、
前記局舎側メディアコンバータおよび前記宅内側メディアコンバータの光リンク用ランプは点灯しているが、前記局舎側メディアコンバータおよび前記宅内側メディアコンバータの受光レベル用ランプが消灯している場合には、前記光ファイバ回線、または、前記局舎側メディアコンバータおよび前記宅内側メディアコンバータにおいて障害が発生したと判定し、
前記局舎側メディアコンバータおよび前記宅内側メディアコンバータの受光レベル用ランプは点灯しているが、前記局舎側メディアコンバータおよび前記宅内側メディアコンバータの光リンク用ランプが消灯している場合には、前記局舎側メディアコンバータまたは前記宅内側メディアコンバータにおいて障害が発生したと判定し、
前記局舎側メディアコンバータの受光レベル用ランプは点灯しているが、前記局舎側メディアコンバータおよび前記宅内側メディアコンバータの光リンク用ランプと前記宅内側メディアコンバータの受光レベル用ランプが消灯している場合には、前記局舎側メディアコンバータにおいて障害が発生したと判定し、
前記宅内側メディアコンバータの受光レベル用ランプは点灯しているが、前記局舎側メディアコンバータおよび前記宅内側メディアコンバータの光リンク用ランプと前記局舎側メディアコンバータの受光レベル用ランプが消灯している場合には、前記宅内側メディアコンバータにおいて障害が発生したと判定し、
前記局舎側メディアコンバータおよび前記宅内側メディアコンバータの光リンク用ランプおよび受光レベル用ランプがすべて消灯している場合には、前記光ファイバ回線において障害が発生したと判定する、
ことを特徴とする、請求項７記載の障害切分け方法。
【請求項９】
前記局舎側メディアコンバータおよび前記宅内側メディアコンバータの一方の光リンク用ランプは点灯しているが他方の光リンク用ランプは消灯している場合には、前記局舎側メディアコンバータおよび前記宅内側メディアコンバータのうち光リンク用ランプが点灯している方のメディアコンバータにおいて障害が発生したとして取り扱うことを特徴とする、請求項７または８記載の障害切分け方法。
【発明の詳細な説明】
【技術分野】
【０００１】
本発明は、メディアコンバータおよび障害切分け方法に関し、特に、光ファイバ回線、局舎側メディアコンバータおよび宅内側メディアコンバータのいずれにおいて障害が発生したかを判定するのに好適なメディアコンバータおよび障害切分け方法に関する。
【背景技術】
【０００２】
局舎側メディアコンバータと宅内側メディアコンバータとを光ケーブルで相互に接続した光ネットワークでは、光リンクの良／不良を確認するために、光リンク用ランプを局舎側メディアコンバータおよび宅内側メディアコンバータの両方に設けている。たとえば、光リンク用ランプが点灯している場合には、光リンクは良好であり、局舎側メディアコンバータと宅内側メディアコンバータとの間の通信が可であると判断し、一方、光リンク用ランプが消灯している場合には、光リンクは不良であり、局舎側メディアコンバータと宅内側メディアコンバータとの間の通信が不可であると判断している。
【０００３】
なお、下記の特許文献１には、光ファイバ接続側のリンク異常時にＦＥＦＩ信号を送信する機能を有するメディアコンバータにおいて光ファイバ側リンク異常時にも保守信号を送信できるようにするために、光ファイバ側送受信部の光検出信号を検出するＳＤ端子に制御部から常に疑似光検出信号を入力するようにして、送受信部がリンク異常時でもＦＥＦＩ信号を発しないようにする一方、制御部が光／電気変換部からの光検出信号によりリンク異常を検出して、保守サブレイヤから、その旨を知らせる保守信号を送信させるメディアコンバータが開示されている。
【０００４】
また、下記の特許文献２には、折り返し試験の信頼性を向上させるために、局舎側メディアコンバータからの折り返し試験開始要求保守信号により、宅内側メディアコンバータにおいて自己診断を開始し、折り返し試験信号と共に自己診断の結果を局舎側メディアコンバータへ送信するようにしたメディアコンバータが開示されている。
【特許文献１】特開２００４−１５２１６号公報
【特許文献２】特開２００４−１５２１７号公報
【発明の開示】
【発明が解決しようとする課題】
【０００５】
しかしながら、局舎側メディアコンバータおよび宅内側メディアコンバータに光リンク用ランプを設けても、光リンクが良好か否かは判定できるが、局舎側メディアコンバータの故障（宅内側メディアコンバータからは光信号が正常に出力されている。）であるのか宅内側メディアコンバータの故障（局舎側メディアコンバータからは光信号が正常に出力されている。）であるのかは判定できない。そのため、局舎側メディアコンバータと宅内側メディアコンバータとの間で通信が不可になった場合には、局舎側メディアコンバータの調査と宅内側メディアコンバータの調査とが発生し、その対策に時間を要するという問題があった。
【０００６】
本発明の目的は、光ファイバ回線、局舎側メディアコンバータおよび宅内側メディアコンバータのいずれにおいて障害が発生したかを容易に判定することができるメディアコンバータおよび障害切分け方法を提供する。
【課題を解決するための手段】
【０００７】
本発明のメディアコンバータは、光ファイバ回線を介して他のメディアコンバータと相互に接続されるメディアコンバータ（１０）であって、前記光ファイバ回線から入力される光信号の受光レベルを検出する光レベル検出手段と、前記検出された受光レベルと受光レベル良否判定用の受光レベル下限値とを比較して、前記検出された受光レベルが受光レベル良否判定用の受光レベル下限値以上であれば受光レベル用ランプ（２２）を点灯させ、前記検出された受光レベルが前記受光レベル良否判定用の受光レベル下限値未満であれば前記受光レベル用ランプを消灯させる受光レベル良否判定手段（１８）と、前記光ファイバ回線側の光リンクの良否を判定して、該判定の結果に従って光リンク用ランプ（２１）を点灯または消灯させる制御手段（１９）とを具備し、前記受光レベル用ランプおよび前記光リンク用ランプが点灯しているか否かにより前記光ファイバ回線、前記他のメディアコンバータおよび前記メディアコンバータのいずれにおいて障害が発生したかを判定できるように、前記受光レベル良否判定用の受光レベル下限値が、前記メディアコンバータにおける受光レベルの上限値から該メディアコンバータにおける光リンクの下限値である受光レベルの下限値を引いた該メディアコンバータの受光範囲の所定の割合の値だけ、該メディアコンバータにおける該受光レベルの下限値よりも大きい値に設定されていることを特徴とする。
ここで、前記光レベル検出手段が、前記光ファイバ回線から入力される光信号を電気信号に変換する光／電気変換部（１５）の出力信号に基づいて前記受光レベルを検出してもよい。
前記光レベル検出手段が、前記光ファイバ回線から入力される光を２分岐する２分岐カプラ（６１）と、該２分岐カプラにより分岐された光の一方が入力される光センサ（６２）とを備え、該光センサの出力信号に基づいて前記受光レベルを検出してもよい。
【０００８】
本発明の第１の障害切分け方法は、光ファイバ回線、該光ファイバ回線を介して相互に接続された局舎側メディアコンバータ（３１）および宅内側メディアコンバータ（３２）のいずれにおいて障害が発生したかを切り分ける障害切分け方法であって、本発明のメディアコンバータを前記宅内側メディアコンバータとして使用し、前記局舎側メディアコンバータの光リンク用ランプ（４１）と前記宅内側メディアコンバータの光リンク用ランプ（２１）および受光レベル用ランプ（２２）とが点灯しているか否かにより前記光ファイバ回線、前記局舎側メディアコンバータおよび前記宅内側メディアコンバータのいずれにおいて障害が発生したかを判定することを特徴とする。
ここで、前記局舎側メディアコンバータの光リンク用ランプと前記宅内側メディアコンバータの光リンク用ランプおよび受光レベル用ランプとがすべて点灯している場合には、前記光ファイバ回線、前記局舎側メディアコンバータおよび前記宅内側メディアコンバータは正常に動作していると判定し、前記局舎側メディアコンバータおよび前記宅内側メディアコンバータの光リンク用ランプは点灯しているが、前記宅内側メディアコンバータの受光レベル用ランプが消灯している場合には、前記光ファイバ回線または前記局舎側メディアコンバータにおいて障害が発生したと判定し、前記宅内側メディアコンバータの受光レベル用ランプは点灯しているが、前記局舎側メディアコンバータおよび前記宅内側メディアコンバータの光リンク用ランプが消灯している場合には、前記宅内側メディアコンバータにおいて障害が発生したと判定し、前記局舎側メディアコンバータの光リンク用ランプと前記宅内側メディアコンバータの光リンク用ランプおよび受光レベル用ランプがすべて消灯している場合には、前記光ファイバ回線、前記局舎側メディアコンバータまたは前記宅内側メディアコンバータにおいて障害が発生したと判定してもよい。
前記局舎側メディアコンバータおよび前記宅内側メディアコンバータの一方の光リンク用ランプは点灯しているが他方の光リンク用ランプは消灯している場合には、前記局舎側メディアコンバータおよび前記宅内側メディアコンバータのうち光リンク用ランプが点灯している方のメディアコンバータにおいて障害が発生したとして取り扱ってもよい。
本発明の第２の障害切分け方法は、光ファイバ回線、該光ファイバ回線を介して相互に接続された局舎側メディアコンバータ（５１）および宅内側メディアコンバータ（５２）のいずれにおいて障害が発生したかを切り分ける障害切分け方法であって、本発明のメディアコンバータを前記局舎側メディアコンバータおよび前記宅内側メディアコンバータとして使用し、前記局舎側メディアコンバータの光リンク用ランプ（２１）および受光レベル用ランプ（２２）が点灯しているか否かと、前記宅内側メディアコンバータの光リンク用ランプ（２１）および受光レベル用ランプ（２２）が点灯しているか否かとにより、前記光ファイバ回線、前記局舎側メディアコンバータおよび前記宅内側メディアコンバータのいずれにおいて障害が発生したかを判定することを特徴とする。
ここで、前記局舎側メディアコンバータおよび前記宅内側メディアコンバータの光リンク用ランプおよび受光レベル用ランプがすべて点灯している場合には、前記光ファイバ回線、前記局舎側メディアコンバータおよび前記宅内側メディアコンバータは正常に動作していると判定し、前記局舎側メディアコンバータの光リンク用ランプおよび受光レベル用ランプと前記宅内側メディアコンバータの光リンク用ランプとは点灯しているが、前記宅内側メディアコンバータの受光レベル用ランプが消灯している場合には、前記局舎側メディアコンバータにおいて障害が発生したと判定し、前記局舎側メディアコンバータの光リンク用ランプと前記宅内側メディアコンバータの光リンク用ランプおよび受光レベル用ランプとは点灯しているが、前記局舎側メディアコンバータの受光レベル用ランプが消灯している場合には、前記宅内側メディアコンバータにおいて障害が発生したと判定し、前記局舎側メディアコンバータおよび前記宅内側メディアコンバータの光リンク用ランプは点灯しているが、前記局舎側メディアコンバータおよび前記宅内側メディアコンバータの受光レベル用ランプが消灯している場合には、前記光ファイバ回線、または、前記局舎側メディアコンバータおよび前記宅内側メディアコンバータにおいて障害が発生したと判定し、前記局舎側メディアコンバータおよび前記宅内側メディアコンバータの受光レベル用ランプは点灯しているが、前記局舎側メディアコンバータおよび前記宅内側メディアコンバータの光リンク用ランプが消灯している場合には、前記局舎側メディアコンバータまたは前記宅内側メディアコンバータにおいて障害が発生したと判定し、前記局舎側メディアコンバータの受光レベル用ランプは点灯しているが、前記局舎側メディアコンバータおよび前記宅内側メディアコンバータの光リンク用ランプと前記宅内側メディアコンバータの受光レベル用ランプが消灯している場合には、前記局舎側メディアコンバータにおいて障害が発生したと判定し、前記宅内側メディアコンバータの受光レベル用ランプは点灯しているが、前記局舎側メディアコンバータおよび前記宅内側メディアコンバータの光リンク用ランプと前記局舎側メディアコンバータの受光レベル用ランプが消灯している場合には、前記宅内側メディアコンバータにおいて障害が発生したと判定し、前記局舎側メディアコンバータおよび前記宅内側メディアコンバータの光リンク用ランプおよび受光レベル用ランプがすべて消灯している場合には、前記光ファイバ回線において障害が発生したと判定してもよい。
前記局舎側メディアコンバータおよび前記宅内側メディアコンバータの一方の光リンク用ランプは点灯しているが他方の光リンク用ランプは消灯している場合には、前記局舎側メディアコンバータおよび前記宅内側メディアコンバータのうち光リンク用ランプが点灯している方のメディアコンバータにおいて障害が発生したとして取り扱ってもよい。
【発明の効果】
【０００９】
本発明のメディアコンバータおよび障害切分け方法は、以下に示す効果を奏する。
（１）本発明のメディアコンバータを宅内側メディアコンバータとして使用することにより、局舎側メディアコンバータの光リンク用ランプ、宅内側メディアコンバータの光リンク用ランプおよび宅内側メディアコンバータの受光レベル用ランプの点灯および消灯の組合せを確認するだけで、光ファイバ回線、局舎側メディアコンバータおよび宅内側メディアコンバータのいずれにおいて障害が発生しているかを判定することができる。
（２）本発明のメディアコンバータを局舎側メディアコンバータおよび宅内側メディアコンバータとして使用することにより、局舎側メディアコンバータおよび宅内側メディアコンバータの光リンク用ランプおよび受光レベル用ランプの点灯および消灯の組合せを確認するだけで、光ファイバ回線、局舎側メディアコンバータおよび宅内側メディアコンバータのいずれにおいて障害が発生しているか否かを判定することができる。
（３）光ファイバ回線、局舎側メディアコンバータおよび宅内側メディアコンバータのいずれにおいて障害が発生しているかを容易に判定することができるので、局舎側または宅内側調査を減らすことができるとともに、障害対応コストの低減および復旧時間の短縮を図ることができる。
【発明を実施するための最良の形態】
【００１０】
光ファイバ回線、局舎側メディアコンバータおよび宅内側メディアコンバータのいずれにおいて障害が発生したかを容易に判定するという目的を、光ファイバ回線側の光リンクの良否を判定した結果に従って光リンク用ランプを点灯または消灯させるとともに、受光レベルが光リンク下限値よりも所定の値だけ大きい値に設定された受光レベル下限値以上であれば受光レベル用ランプを点灯させ、受光レベルが受光レベル下限値未満であれば受光レベル用ランプを消灯させることにより実現した。
【実施例１】
【００１１】
以下、本発明のメディアコンバータおよび障害切分け方法の実施例について、図面を参照して説明する。
本発明の一実施例によるメディアコンバータ１０は、図１に示すように、ＬＡＮ側送受信部１１と、光ファイバ側送受信部１２と、電気／光変換部（Ｅ／Ｏ変換部）１３と、光／電気変換部（Ｏ／Ｅ変換部）１５と、光レベル検出部１６と、受光レベル良否判定部１８と、制御部１９と、光リンク用ランプ２１と、受光レベル用ランプ２２とを具備する。
【００１２】
ここで、ＬＡＮ側送受信部１１は、ローカルエリアネットワーク（ＬＡＮ）を介してメディアコンバータ１０と相互に接続される端末装置などとの間でデータ信号の送受信を行う。
光ファイバ側送受信部１２は、光ファイバ回線を介してメディアコンバータ１０と相互に接続される他のメディアコンバータとの間でデータ信号の送受信を行う。また、光ファイバ側送受信部１２は、他のメディアコンバータからの電気信号の状態（有無や破壊の程度）に基づいて光リンク良否判定用情報（光リンクの良否（良好／不良）の判定に使用される情報）を生成し、生成した光リンク良否判定用情報を制御部１９に出力する。
【００１３】
電気／光変換部１３は、光ファイバ側送受信部１２から入力されるデータ信号（電気信号）を光信号に変換して光ファイバ回線に出力する。
光／電気変換部１５は、光ファイバ回線から入力される光信号をデータ信号（電気信号）に変換して光ファイバ側送受信部１２に出力する。
【００１４】
光レベル検出部１６は、光／電気変換部１５の出力信号に基づいて光ファイバ回線から入力される光信号の受光レベルを検出して、検出した受光レベルを表わす受光レベル信号を受光レベル良否判定部１８に出力する。
【００１５】
受光レベル良否判定部１８は、光レベル検出部１６から入力される受光レベル信号に基づいて受光レベルの良否（良好／不良）を判定して、判定結果に従って受光レベル用ランプ２２を点灯または消灯させる。すなわち、受光レベル良否判定部１８は、受光レベル信号によって表わされる受光レベルが、光リンク下限値よりも所定の値だけ大きい値に設定された受光レベル下限値以上であれば、受光レベルは良好であると判定して、受光レベル用ランプ２２を点灯させる。一方、受光レベル信号によって示される受光レベルが受光レベル下限値未満であれば、受光レベルは不良であると判定して、受光レベル用ランプ２２を消灯させる。
【００１６】
ここでは、受光レベル下限値は、光リンク下限値よりも、受光範囲の所定の割合の値だけ大きい値に設定される。たとえば、受光レベルの上限値が−１２ｄＢであり、受光レベルの下限値（＝光リンク下限値）が−２８ｄＢである場合には、光リンク下限値よりも、受光範囲（＝−１２ｄＢ−（−２８ｄＢ）＝１６ｄＢ）の１／１０の値（＝１．６ｄＢ）だけ大きい値（＝−２６．４ｄＢ）に設定される。
【００１７】
制御部１９は、光ファイバ側送受信部１２から入力される光リンク良否判定用情報に基づいて光ファイバ回線側の光リンクの良否（良好／不良）を判定して、判定結果に従って光リンク用ランプ２１を点灯または消灯させる。すなわち、制御部１９は、光リンク良否判定情報に基づいて光リンクは良好であると判定すると、光リンク用ランプ２１を点灯させる。一方、制御部１９は、光リンク良否判定情報に基づいて光リンクは不良であると判定すると、光リンク用ランプ２１を消灯させる。
また、制御部１９は、ＬＡＮ側送受信部１１、光ファイバ側送受信部１２、電気／光変換部１３、光／電気変換部１５および受光レベル良否判定部１８の制御を行う。
【００１８】
次に、図２に示すように光リンク用ランプ４１のみを備える従来のメディアコンバータを局舎側メディアコンバータ３１として使用し、光リンク用ランプ２１および受光レベル用ランプ２２の両方を備える本実施例によるメディアコンバータ１０を宅内側メディアコンバータ３２として使用した場合の障害切分け方法（本発明の第１の実施例による障害切分け方法）について、図３を参照して説明する。
【００１９】
図３の（１）に示す場合（すなわち、局舎側メディアコンバータ３１の光リンク用ランプ４１と宅内側メディアコンバータ３２の光リンク用ランプ２１および受光レベル用ランプ２２がすべて点灯している場合）には、光ファイバ回線、局舎側メディアコンバータ３１および宅内側メディアコンバータ３２における光リンクは良好であり、かつ、局舎側メディアコンバータ３１から光ファイバ回線を介して宅内側メディアコンバータ３２に入力される光信号の受光レベルは光リンク下限値以上になっている。したがって、光ファイバ回線、局舎側メディアコンバータ３１および宅内側メディアコンバータ３２は正常に動作していると判定する。
【００２０】
図３の（２）に示す場合（すなわち、局舎側メディアコンバータ３１の光リンク用ランプ４１および宅内側メディアコンバータ３２の光リンク用ランプ２１は点灯しているが、宅内側メディアコンバータ３２の受光レベル用ランプ２２が消灯している場合）には、局舎側メディアコンバータ３１から光ファイバ回線を介して宅内側メディアコンバータ３２に入力される光信号の受光レベルは光リンク下限値と受光レベル下限値との間の値となっているため、光ファイバ回線または局舎側メディアコンバータ３１の故障により受光レベルが低下しているものと考えられる。したがって、この場合には、宅内側メディアコンバータ３２は正常に動作しているが、光ファイバ回線または局舎側メディアコンバータ３１において障害が発生したと判定する。
【００２１】
図３の（３）〜（６）に示す場合（すなわち、局舎側メディアコンバータ３１の光リンク用ランプ４１および宅内側メディアコンバータ３２の光リンク用ランプ２１の一方は点灯しているが他方は消灯している場合）には、このような組合せは一般的にはあり得ないので、局舎側メディアコンバータ３１および宅内側メディアコンバータ３２のうち光リンク用ランプ２１，４１が点灯している方が故障しているとして取り扱う。
したがって、図３の（３）および（４）に示す場合（すなわち、局舎側メディアコンバータ３１の光リンク用ランプ４１が点灯している場合）には、光リンク用ランプ４１が点灯している局舎側メディアコンバータ３１において障害が発生したとして取り扱い、図３の（５）および（６）に示す場合（すなわち、宅内側メディアコンバータ３２の光リンク用ランプ２１が点灯している場合）には、光リンク用ランプ２１が点灯している宅内側メディアコンバータ３２において障害が発生したとして取り扱う。
【００２２】
図３の（７）に示す場合（すなわち、宅内側メディアコンバータ３２の受光レベル用ランプ２２は点灯しているが、局舎側メディアコンバータ３１の光リンク用ランプ４１および宅内側メディアコンバータ３２の光リンク用ランプ２１が消灯している場合）には、局舎側メディアコンバータ３１から光ファイバ回線を介して宅内側メディアコンバータ３２に入力される光信号の受光レベルは受光レベル下限値以上になっているにもかかわらず光リンク異常が生じているので、宅内側メディアコンバータ３２が故障していると考えられる。したがって、この場合には、宅内側メディアコンバータ３２において障害が発生したと判定する。
【００２３】
図３の（８）に示す場合（すなわち、局舎側メディアコンバータ３１の光リンク用ランプ４１と宅内側メディアコンバータ３２の光リンク用ランプ２１および受光レベル用ランプ２２がすべて消灯している場合）には、光ファイバ回線、局舎側メディアコンバータ３１および宅内側メディアコンバータ３２のいずれかが故障していると考えられる。したがって、この場合には、光ファイバ回線、局舎側メディアコンバータ３１または宅内側メディアコンバータ３２において障害が発生したと判定する。
【００２４】
次に、図４に示すように光リンク用ランプ２１および受光レベル用ランプ２２の両方を備える本実施例によるメディアコンバータ１０を局舎側メディアコンバータ５１および宅内側メディアコンバータ５２として使用した場合の障害切分け方法（本発明の第２の実施例による障害切分け方法）について、図５を参照して説明する。
【００２５】
本実施例によるメディアコンバータ１０を局舎側メディアコンバータ５１および宅内側メディアコンバータ５２として使用した場合には、光リンク用ランプ２１および受光レベル用ランプ２２の点灯および消灯の組合せは、図５に示す１６通りとなる。
【００２６】
図５の（１）に示す場合（すなわち、局舎側メディアコンバータ５１および宅内側メディアコンバータ５２の光リンク用ランプ２１および受光レベル用ランプ２２がすべて点灯している場合）には、光ファイバ回線、局舎側メディアコンバータ５１および宅内側メディアコンバータ５２における光リンクは良好であり、かつ、局舎側メディアコンバータ５１から光ファイバ回線を介して宅内側メディアコンバータ５２に入力される光信号の受光レベルと宅内側メディアコンバータ５２から光ファイバ回線を介して局舎側メディアコンバータ５１に入力される光信号の受光レベルとは両方とも、光リンク下限値以上になっている。したがって、光ファイバ回線、局舎側メディアコンバータ５１および宅内側メディアコンバータ５２は正常に動作していると判定する。
【００２７】
図５の（２）に示す場合（すなわち、局舎側メディアコンバータ５１の光リンク用ランプ２１および受光レベル用ランプ２２と宅内側メディアコンバータ５２の光リンク用ランプ２１とは点灯しているが、宅内側メディアコンバータ５２の受光レベル用ランプ２２が消灯している場合）には、宅内側メディアコンバータ５２から光ファイバ回線を介して局舎側メディアコンバータ５１に入力される光信号の受光レベルは受光レベル下限値以上になっているにもかかわらず、局舎側メディアコンバータ５１から光ファイバ回線を介して宅内側メディアコンバータ５２に入力される光信号の受光レベルは光リンク下限値と受光レベル下限値との間の値となっているため、局舎側メディアコンバータ５１の故障により後者の受光レベルが低下しているものと考えられる。したがって、この場合には、光ファイバ回線および宅内側メディアコンバータ５２は正常に動作しているが、局舎側メディアコンバータ５１において障害が発生したと判定する。
【００２８】
図５の（５）に示す場合（すなわち、局舎側メディアコンバータ５１の光リンク用ランプ２１と宅内側メディアコンバータ５２の光リンク用ランプ２１および受光レベル用ランプ２２とは点灯しているが、局舎側メディアコンバータ５１の受光レベル用ランプ２２が消灯している場合）には、局舎側メディアコンバータ５１から光ファイバ回線を介して宅内側メディアコンバータ５２に入力される光信号の受光レベルは受光レベル下限値以上になっているにもかかわらず、宅内側メディアコンバータ５２から光ファイバ回線を介して局舎側メディアコンバータ５１に入力される光信号の受光レベルは光リンク下限値と受光レベル下限値との間の値となっているため、宅内側メディアコンバータ５２の故障により後者の受光レベルが低下しているものと考えられる。したがって、この場合には、光ファイバ回線および局舎側メディアコンバータ５１は正常に動作しているが、宅内側メディアコンバータ５２において障害が発生したと判定する。
【００２９】
図５の（６）に示す場合（すなわち、局舎側メディアコンバータ５１および宅内側メディアコンバータ５２の光リンク用ランプ２１は点灯しているが、局舎側メディアコンバータ５１および宅内側メディアコンバータ５２の受光レベル用ランプ２２が消灯している場合）には、局舎側メディアコンバータ５１から光ファイバ回線を介して宅内側メディアコンバータ５２に入力される光信号の受光レベルと宅内側メディアコンバータ５２から光ファイバ回線を介して局舎側メディアコンバータ５１に入力される光信号の受光レベルとは両方とも、光リンク下限値と受光レベル下限値との間の値となっているため、光ファイバ回線の故障により両者の受光レベルが低下しているものとまずは考えられる。ただし、稀ではあるが局舎側メディアコンバータ５１および宅内側メディアコンバータ５２がともに故障して両者の受光レベルが低下しているものとも考えられる。したがって、この場合には、光ファイバ回線、または、局舎側メディアコンバータ５１および宅内側メディアコンバータ５２において障害が発生したと判定する。
【００３０】
図５の（１１）に示す場合（すなわち、局舎側メディアコンバータ５１および宅内側メディアコンバータ５２の受光レベル用ランプ２２は点灯しているが、局舎側メディアコンバータ５１および宅内側メディアコンバータ５２の光リンク用ランプ２１が消灯している場合）には、局舎側メディアコンバータ５１から光ファイバ回線を介して宅内側メディアコンバータ５２に入力される光信号の受光レベルと宅内側メディアコンバータ５２から光ファイバ回線を介して局舎側メディアコンバータ５１に入力される光信号の受光レベルとは両方とも受光レベル下限値以上になっているにもかかわらず局舎側メディアコンバータ５１および宅内側メディアコンバータ５２において光リンク異常が生じているので、局舎側メディアコンバータ５１または宅内側メディアコンバータ５２が故障していると考えられる。したがって、この場合には、局舎側メディアコンバータ５１または宅内側メディアコンバータ５２において障害が発生したと判定する。
【００３１】
図５の（１２）に示す場合（すなわち、局舎側メディアコンバータ５１の受光レベル用ランプ２２は点灯しているが、局舎側メディアコンバータ５１および宅内側メディアコンバータ５２の光リンク用ランプ２１と宅内側メディアコンバータ５２の受光レベル用ランプ２２が消灯している場合）には、宅内側メディアコンバータ５２から光ファイバ回線を介して局舎側メディアコンバータ５１に入力される光信号の受光レベルは受光レベル下限値以上になっているにもかかわらず局舎側メディアコンバータ５１において光リンク異常が発生しているので、局舎側メディアコンバータ５１が故障していると考えられる。したがって、この場合には、局舎側メディアコンバータ５１において障害が発生したと判定する。
【００３２】
図５の（１５）の場合（すなわち、宅内側メディアコンバータ５２の受光レベル用ランプ２２は点灯しているが、局舎側メディアコンバータ５１および宅内側メディアコンバータ５２の光リンク用ランプ２１と局舎側メディアコンバータ５１の受光レベル用ランプ２２とが消灯している場合）には、局舎側メディアコンバータ５１から光ファイバ回線を介して宅内側メディアコンバータ５２に入力される光信号の受光レベルは受光レベル下限値以上になっているにもかかわらず宅内側メディアコンバータ５２において光リンク異常が生じているので、宅内側メディアコンバータ５２が故障していると考えられる。したがって、この場合には、宅内側メディアコンバータ５２において障害が発生したと判定する。
【００３３】
図５の（１６）に示す場合（すなわち、局舎側メディアコンバータ５１および宅内側メディアコンバータ５２の光リンク用ランプ２１および受光レベル用ランプ２２がすべて消灯している場合）には、局舎側メディアコンバータ５１から光ファイバ回線を介して宅内側メディアコンバータ５２に入力される光信号の受光レベルおよび宅内側メディアコンバータ５２から光ファイバ回線を介して局舎側メディアコンバータ５１に入力される光信号の受光レベルは両方とも光リンク下限値未満になっているので、光ファイバ回線が故障していると考えられる。したがって、この場合には、光ファイバ回線において障害が発生したと判定する。
【００３４】
図５の（３），（４），（７）〜（１０），（１３）および（１４）に示す場合（すなわち、局舎側メディアコンバータ５１および宅内側メディアコンバータ５２の一方の光リンク用ランプ２１は点灯しているが他方の光リンク用ランプ２１は消灯している場合）には、このような組合せは一般的にはあり得ないので、局舎側メディアコンバータ５１および宅内側メディアコンバータ５２のうち光リンク用ランプ２１が点灯している方が故障しているとして取り扱う。
したがって、図５の（３），（４），（７）および（８）の場合（すなわち、局舎側メディアコンバータ５１の光リンク用ランプ２１は点灯しているが、宅内側メディアコンバータ５２の光リンク用ランプ２１が消灯している場合）には、局舎側メディアコンバータ５１において障害が発生したとして取り扱い、図５の（９），（１０），（１３）および（１４）の場合（すなわち、宅内側メディアコンバータ５２の光リンク用ランプ２１は点灯しているが、局舎側メディアコンバータ５１の光リンク用ランプ２１が消灯している場合）には、宅内側メディアコンバータ５２において障害が発生したとして取り扱う。
なお、図５の（８）および（１４）の場合には、光ファイバ回線が故障したとも考えられるので、光ファイバ回線において障害が発生した可能性もあるとして取り扱う。
【００３５】
以上の説明においては、光／電気変換部１５の出力信号に基づいて光レベル検出部１６により受光レベルを検出したが、以下に示すようにして受光レベルを検出してもよい。
（１）図６に示すように、光ファイバ回線と光／電気変換部１５との間に２分岐カプラ６１（たとえば、光レベル比率が１０：１のもの）を設けるとともに、２分岐カプラ６１によって分岐された光の一方（たとえば、光レベルが１／１０の光）が入力される光センサ６２を設けて、光センサ６２の出力信号に基づいて光レベル検出部１６により受光レベルを検出する。
（２）電気／光変換部１３と光ファイバ回線との間にも他の２分岐カプラを設けるとともに、他の２分岐カプラによって分岐された光の一方（光レベル比率が小さい方の光）が入力される他の光センサを設けて、送信側の光レベルも検出する。
【産業上の利用可能性】
【００３６】
以上説明したように、本発明のメディアコンバータおよび障害切分け方法は、たとえば光ファイバ回線、局舎側メディアコンバータおよび宅内側メディアコンバータのいずれにおいて障害が発生したかを判定するのに利用することができる。
【図面の簡単な説明】
【００３７】
【図１】本発明の一実施例によるメディアコンバータの構成を示すブロック図である。
【図２】本発明の第１の実施例による障害切分け方法を説明するための局舎側メディアコンバータ３１および宅内側メディアコンバータ３２の構成を示す図である。
【図３】本発明の第１の実施例による障害切分け方法における障害切分け結果を示す図である。
【図４】本発明の第２の実施例による障害切分け方法を説明するための局舎側メディアコンバータ５１および宅内側メディアコンバータ５２の構成を示す図である。
【図５】本発明の第２の実施例による障害切分け方法における障害切分け結果を示す図である。
【図６】本発明のメディアコンバータにおける受光レベルの他の検出方法を説明するための図である。
【符号の説明】
【００３８】
１０  メディアコンバータ
１１  ＬＡＮ側送受信部
１２  光ファイバ側送受信部
１３  電気／光変換部（Ｅ／Ｏ変換部）
１５  光／電気変換部（Ｏ／Ｅ変換部）
１６  光レベル検出部
１８  受光レベル良否判定部
１９  制御部
２１，４１  光リンク用ランプ
２２  受光レベル用ランプ
３１，５１  局舎側メディアコンバータ
３２，５２  宅内側メディアコンバータ
６１  ２分岐カプラ
６２  光センサ
【図１】
0004679303.tif 000002
【図２】
0004679303.tif 000003
【図３】
0004679303.tif 000004
【図４】
0004679303.tif 000005
【図５】
0004679303.tif 000006
【図６】
0004679303.tif 000007